(57)【要約】      （修正有）【課題】複数種類の照明器具を迅速に使用することが可能な照明器具セットを提供する。【解決手段】持ち運び可能な携帯式の懐中電灯２と、台の上に載置することが可能なテーブルライト３と、前記懐中電灯を受け入れて保持する開口の形態の第１保持部４５と、前記テーブルライトを受け入れて保持する開口の形態の第２保持部４６とを含む台座とを備えた。【選択図】図１
0003221983.tif 000002
【実用新案登録請求の範囲】
【請求項１】
複数の照明器具を着脱可能に設けた照明器具セットにおいて、
持ち運び可能な携帯式の懐中電灯と、
台の上に載置することが可能なテーブルライトと、
前記懐中電灯を取り外し可能に保持する第１保持部と、前記テーブルライトを取り外し可能に保持する第２保持部とを含む台座とを備えた、照明器具セット。
【請求項２】
前記台座の上面には、前記台座を把持するための把持部が設けられている、請求項１に記載の照明器具セット。
【請求項３】
前記台座には、前記懐中電灯および前記テーブルライトに使用する電池を収納するための物品収納部が設けられている、請求項１または２に記載の照明器具セット。
【請求項４】
前記第１保持部は、前記懐中電灯を鉛直方向に着脱可能とする形状であり、
前記第２保持部は、前記テーブルライトを水平方向に着脱可能とする形状である、請求項１〜３のいずれかに記載の照明器具セット。
【請求項５】
前記第１保持部は、前記台座の上面から鉛直方向下方に延びる筒状開口である、請求項１〜４のいずれかに記載の照明器具セット。
【請求項６】
前記筒状開口の側面は、前記台座の壁面に露出している、請求項５に記載の照明器具セット。
【請求項７】
前記第２保持部は、前記台座の側面から水平方向内方に延びる開口である、請求項１〜６のいずれかに記載の照明器具セット。
【請求項８】
前記テーブルライトは、照明光を照射する球状の照射部と、照射部を下方から支持するベース部と、前記照射部と前記ベース部との間の境界部であるくびれ部とを含み、
前記第２保持部は、前記テーブルライトのくびれ部を保持するくびれ保持部を含む、請求項１〜７のいずれかに記載の照明器具セット。
【考案の詳細な説明】
【技術分野】
【０００１】
この考案は、照明器具セットに関し、特に、複数の照明器具を着脱可能に設けた照明器具セットに関するものである。
【背景技術】
【０００２】
一般的に、災害などによる停電や夜間の避難などに備えて、懐中電灯やランタンなどの携帯電灯が家庭に常備されている。このような携帯電灯として、たとえば実開昭６２−１８４６０１号公報（特許文献１）が知られている。特許文献１には、乾電池を収納する収納箱を設けた懐中電灯について開示されている。
【０００３】
一方で、複数の照明器具を、固定台に対して取り外し可能に設けることが知られている。このような照明器具として、たとえば特開２０１３−３３６７５号公報（特許文献２）および特表２０１１−５１３９１９号公報（特許文献３）が知られている。
【０００４】
特許文献２には、複数のライトをハウジングに収納することで、ランタンとして使用することができ、ハウジングからライトを取り外すことで、ライトを懐中電灯として使用できることが開示されている。また、特許文献３には、複数の面ライトをドッキングすることでランタンとして使用することができ、面ライトを取り外して、面ライト単体としても使用できることが開示されている。
【先行技術文献】
【特許文献】
【０００５】
【特許文献１】実開昭６２−１８４６０１号公報
【特許文献２】特開２０１３−３３６７５号公報
【特許文献３】特表２０１１−５１３９１９号公報
【考案の概要】
【考案が解決しようとする課題】
【０００６】
特許文献１のような懐中電灯は、日常的に使用するものではないため、たとえば引き出しの奥などにしまいこんでしまい、災害などの緊急の場合に、迅速に懐中電灯を使用することができない場合がある。また、特許文献２および特許文献３では、複数のライトが用いられているものの、すべて同じ種類のライトであり、単体で使用する際に用途が限られる。
【０００７】
本考案は、上記の課題を解決するためになされたものであり、その目的は、災害などの緊急の場合であっても、複数種類の照明器具を迅速に使用することが可能な照明器具セットを提供することである。
【課題を解決するための手段】
【０００８】
この目的のため、この考案の一態様に係る照明器具セットは、複数の照明器具を着脱可能に設けた照明器具セットにおいて、手で持つことが可能な携帯式の懐中電灯と、台の上に載置することが可能なテーブルライトと、懐中電灯を取り外し可能に保持する第１保持部と、テーブルライトを取り外し可能に保持する第２保持部とを含む台座とを備えている。
【０００９】
上記構成の本考案によれば、懐中電灯およびテーブルライトを取り外し可能に台座に保持することができるため、災害などの緊急の場合でも、複数種類の照明器具、すなわち懐中電灯およびテーブルライトを迅速に使用することができる。
【００１０】
好ましくは、台座の上面には、台座を把持するための把持部が設けられている。
【００１１】
好ましくは、台座には、懐中電灯およびテーブルライトに使用する電池を収納するための物品収納部が設けられている。
【００１２】
好ましくは、第１保持部は、懐中電灯を鉛直方向に着脱可能とする形状であり、第２保持部は、テーブルライトを水平方向に着脱可能とする形状である。
【００１３】
好ましくは、第１保持部は、台座の上面から鉛直方向下方に延びる筒状開口である。
【００１４】
好ましくは、筒状開口の側面は、台座の壁面に露出している。
【００１５】
好ましくは、第２保持部は、台座の側面から水平方向内方に延びる開口である。
【００１６】
好ましくは、テーブルライトは、照明光を照射する球状の照射部と、照射部を下方から支持するベース部と、照射部とベース部との間の境界部であるくびれ部とを含み、第２保持部は、テーブルライトのくびれ部を保持するくびれ保持部を含む。
【考案の効果】
【００１７】
本考案の照明器具セットによれば、災害などの緊急の場合であっても、複数種類の照明器具を迅速に使用することが可能となる。
【図面の簡単な説明】
【００１８】
【図１】本考案の実施の形態に係る照明器具セットを示す図であり、（ａ）は正面図であり、（ｂ）は背面図である。
【図２】懐中電灯を示す図であり、（ａ）は正面図であり、（ｂ）は側面図である。
【図３】テーブルライトを示す正面図である。
【図４】台座を示す斜視図である。
【図５】本考案の実施の形態に係る照明器具セットの斜視図であって、（ａ）は把持部を収納している状態を示し、（ｂ）は把持部を立ち上げた状態を示し、（ｃ）は把持部を使用する状態を示す図である。
【図６】本考案の実施の形態に係る照明器具セットにおいて、台座から懐中電灯およびテーブルライトを取り外す状態を示す図である。
【考案を実施するための形態】
【００１９】
本考案の実施の形態について図面を参照しながら詳細に説明する。なお、図中同一また
は相当部分には同一符号を付してその説明は繰返さない。
【００２０】
（照明器具セットについて）
図１〜図６を参照して、本実施の形態に係る照明器具セット１について説明する。図１において矢印Ａ１で示す縦方向を上下方向といい、矢印Ａ２で示す横方向を左右方向という。
【００２１】
本実施の形態に係る照明器具セット１は、複数の照明器具を着脱可能に設けたものである。照明器具セット１で用いられる複数の照明器具は、懐中電灯２およびテーブルライト３である。すなわち、照明器具セット１は、懐中電灯２と、テーブルライト３と、懐中電灯２およびテーブルライト３を保持する台座４とを備えている。以下、それぞれの構成について、詳細に説明する。
【００２２】
（懐中電灯について）
図２を参照して、懐中電灯２は、持ち運び可能な携帯式の照明器具である。懐中電灯２は、円筒状の筐体部２０と、筐体部２０の上端に設けられ、照明光を照射する照射部２１と、筐体部２０上に設けられるスイッチ部２２とを備える。図２（ｂ）に示すように、筐体部２０の下端には、台座４に嵌合させるための凸部２３が設けられている。スイッチ部２２を操作することで、照射部２１の点灯をＯＮ／ＯＦＦに変更することができる。懐中電灯２は、電池式であるが、充電式であってもよい。
【００２３】
（テーブルライトについて）
図３を参照して、テーブルライト３は、台の上に載置することが可能な照明器具である。台とは、たとえばテーブルや床面などの平面に限られず、凹凸面などテーブルライト３の底部を載置することができる箇所であればよい。テーブルライト３は、典型的には２つ設けられている。
【００２４】
テーブルライト３は、照明光を照射する球状の照射部３０と、照射部３０を下方から支持するベース部３１と、ベース部３１上に設けられるスイッチ部３２とを備える。照射部３０とベース部３１との境界部には、他の部分よりも径が小さいくびれ部３３が設けられている。スイッチ部３２を操作することで、照射部２１の点灯をＯＮ／ＯＦＦに変更することができる。テーブルライト３は、電池式であるが、充電式であってもよい。また、テーブルライト３の電池は、懐中電灯の電池と同じ種類であることが好ましい。
【００２５】
（台座について）
図１，図４に示すように、台座４は、概略として、略直方体形状であり、前面４０と、後面４１と、右側面４２と、左側面４３と、上面４４と、下面（図示せず）とを含む。台座４は、平面視において矩形形状であるが、その角部、すなわち、前面４０と右側面４２とで形成される角部、前面４０と左側面４３とで形成される角部、後面４１と右側面４２とで形成される角部、および、後面４１と左側面４３とで形成される角部は、それぞれ面取りされており、円弧状となっている。これにより、台座４は、丸みを帯びているような外観となる。
【００２６】
図４，図６に示すように、台座４の前面４０には、懐中電灯２を取り外し可能に保持する第１保持部４５が設けられている。第１保持部４５は、懐中電灯２を鉛直方向に着脱可能とする形状である。ここで、鉛直方向とは、図１の矢印Ａ１で示す上下方向であり、鉛直方向に対して多少傾いている方向も含む。
【００２７】
第１保持部４５は、台座４の上面４４から鉛直方向下方に延びる筒状開口である。さらに、筒状開口は半円弧状であり、その側面は台座４の前面４０に露出している。また、第１保持部４５の壁面には、懐中電灯２の凸部２３と嵌合する凹部４５ａが設けられている。第１保持部４５の凹部４５ａに懐中電灯２の凸部２３を嵌合させることで、懐中電灯２は、照射部２１が上方を向き、上下方向に延びるように台座４に保持される。さらに、図１（ａ）に示すように、懐中電灯２の前面が台座４から露出した状態となる。これにより、懐中電灯２を台座４で保持した状態において、懐中電灯２の存在感を際立たせることができる。
【００２８】
台座４の右側面４２および左側面４３には、テーブルライト３を取り外し可能に保持する第２保持部４６がそれぞれ設けられている。第２保持部４６は、テーブルライト３を水平方向に着脱可能とする形状である。ここで、水平方向とは、図１の矢印Ａ２で示す左右方向であり、水平方向に対して多少傾いている方向も含む。
【００２９】
第２保持部４６は、台座４の右側面４２および左側面４３から水平方向内方に延びる開口である。第２保持部４６は、右側面４２および左側面４３に対して略垂直に設けられる段部４６ａと、段部４６ａよりも間隔をあけて上方に設けられるくびれ保持部４６ｂとを含む。段部４６ａ上には、テーブルライト３が載置される。くびれ保持部４６ｂは、テーブルライト３を段部４６ａ上に載置した場合に、テーブルライト３のくびれ部３３を保持する。また、くびれ保持部４６ｂの開口寸法は、くびれ部３３の幅寸法と略同一である。これにより、第２保持部４６に対してテーブルライト３を水平方向から挿入するだけで、テーブルライト３を台座４に保持することができる。
【００３０】
図５に示すように、台座４の上面４４には、台座４を把持するための把持部４７が設けられている。把持部４７は、取っ手部４７ａと、取っ手部４７ａから下方に延びる棒状部４７ｂとを含む。把持部４７は、上面４４に設けられている開口部４４ａに収納される。開口部４４ａは、前面４０から後面４１に向かって延びる長孔であり、取っ手部４７ａの長手方向の長さと略同一である。なお、棒状部４７ｂの下方端には、棒状部４７ｂが開口部４４ａから抜け落ちないようにするためのストッパ（図示せず）が設けられている。
【００３１】
把持部４７の使用方法について説明する。図５（ａ）に示すように、通常の状態（たとえば、台座４を載置している状態）では、把持部４７の取っ手部４７ａの下方および棒状部４７ｂは、上面４４に設けられている開口部４４ａ内に収納されている。照明器具セット１を移動させるために、把持部４７を使用する場合には、図５（ｂ）に示すように、把持部４７を開口部４４ａから上方に引き上げる。さらに、図５（ｃ）に示すように、取っ手部４７ａを約９０度回転させて、取っ手部４７ａが台座４の前面４０および後面４１と平行になるようにする。これにより、把持部４７の取っ手部４７ａに指を入れることができ、照明器具セット１を簡単に持ち歩くことができる。
【００３２】
図４に示すように、台座４の後面４１には、懐中電灯２およびテーブルライト３に使用する電池を収納するための物品収納部４８が設けられている。物品収納部４８は、具体的には、引き出しである。物品収納部４８内に電池を収納することで、懐中電灯２およびテーブルライト３の電池が切れたとしても、電池をすぐに交換することができる。
【００３３】
（照明器具セットの使用方法について）
次に、図６を参照して、照明器具セット１の使用方法について説明する。
【００３４】
通常の状態では、図１（ａ），（ｂ）に示すように、懐中電灯２は、台座４の第１保持部４５に収納され、その前面が台座４から露出している。また、テーブルライト３は、台座４の第２保持部４６に収納され、テーブルライト３の照射部３０全体およびベース部３１の一部が露出している。このため、懐中電灯２およびテーブルライト３は、常に外方から視認することができるため、使用者は、懐中電灯２とテーブルライト３の存在を常に認識することができる。
【００３５】
災害などによる停電は、前触れもなく急に発生する。上述のように、使用者は、懐中電灯２とテーブルライト３の存在を認識しているため、急に停電になったとしても、灯りを求めて慌てることはない。懐中電灯２を使用する場合は、懐中電灯２の上方部分を掴んで、上方に引き抜いて台座４から取り外す。さらに、テーブルライト３を使用する場合は、テーブルライト３を掴んで、水平方向に引き抜いて台座４から取り外す。これにより、懐中電灯２とテーブルライト３を台座から取り外して、個別に使用することができる。
【００３６】
また、台座４に懐中電灯２とテーブルライト３を保持させた状態で、懐中電灯２のスイッチ部２２をＯＮにし、テーブルライト３のスイッチ部３２をＯＮにする。これにより、懐中電灯２とテーブルライト３を台座４から取り外さずに、照明として使用することができる。
【００３７】
本考案は、図示した実施形態のものに限定されない。図示した実施形態に対して、この考案と同一の範囲内において、あるいは均等の範囲内において、種々の修正や変形を加えることが可能である。
【符号の説明】
【００３８】
１  照明器具セット、２  懐中電灯、３  テーブルライト、４  台座、２０  筐体部、２１  照射部、２２  スイッチ部、２３  凸部、３０  照射部、３１  ベース部、３２  スイッチ部、３３  くびれ部、４０  前面、４１  後面、４２  右側面、４３  左側面、４４  上面、４４ａ  開口部、４５  第１保持部、４５ａ  凹部、４６  第２保持部、４６ａ  段部、４６ｂ  保持部、４７  把持部、４７ａ  取っ手部、４７ｂ  棒状部、４８  物品収納部。
【図１】
0003221983.tif 000003
【図２】
0003221983.tif 000004
【図３】
0003221983.tif 000005
【図４】
0003221983.tif 000006
【図５】
0003221983.tif 000007
【図６】
0003221983.tif 000008
【手続補正書】
【提出日】平成31年4月24日(2019.4.24)
【手続補正１】
【補正対象書類名】実用新案登録請求の範囲
【補正対象項目名】全文
【補正方法】変更
【補正の内容】
【実用新案登録請求の範囲】
【請求項１】
持ち運び可能な携帯式の懐中電灯と、
台の上に載置することが可能なテーブルライトと、
前記懐中電灯を受け入れて保持する開口の形態の第１保持部と、前記テーブルライトを受け入れて保持する開口の形態の第２保持部とを含む台座とを備えた、照明器具セット。
【請求項２】
前記台座の上面には、前記台座を把持するための把持部が設けられている、請求項１に記載の照明器具セット。
【請求項３】
前記台座には、前記懐中電灯および前記テーブルライトに使用する電池を収納するための物品収納部が設けられている、請求項１または２に記載の照明器具セット。
【請求項４】
前記第１保持部は、前記懐中電灯を鉛直方向に受け入れる形状であり、
前記第２保持部は、前記テーブルライトを水平方向に受け入れる形状である、請求項１〜３のいずれかに記載の照明器具セット。
【請求項５】
前記第１保持部は、前記台座の上面から鉛直方向下方に延びる筒状開口である、請求項１〜４のいずれかに記載の照明器具セット。
【請求項６】
前記筒状開口の側面は、前記台座の壁面に露出している、請求項５に記載の照明器具セット。
【請求項７】
前記第２保持部は、前記台座の側面から水平方向内方に延びる開口である、請求項１〜６のいずれかに記載の照明器具セット。
【請求項８】
前記テーブルライトは、照明光を照射する球状の照射部と、照射部を下方から支持するベース部と、前記照射部と前記ベース部との間の境界部であるくびれ部とを含み、
前記第２保持部は、前記テーブルライトのくびれ部を保持するくびれ保持部を含む、請求項１〜７のいずれかに記載の照明器具セット。